(57)【特許請求の範囲】
【請求項１】
洗い場排水が受入口から流入するトラップ室と、
該受入口に配置され、中心ほど下位となる下向き凸形状のヘアキャッチャーと、
該トラップ室が連なる合流流出口と、
該トラップ室の下側を通って延在し、一端側が浴槽排水の流入口に連なり、他端側が該合流流出口に連なる浴槽排水流路と、
該浴槽排水流路の水の一部を分取して該トラップ室内に流出口から旋回方向に流出させるための導水部材と、
を備えてなる浴槽及び洗い場用の排水トラップにおいて、
該導水部材の流出口の上下位置を変更可能としたことを特徴とする排水トラップ。
【請求項２】
請求項１において、前記導水部材は、導水部材本体と、前記流出口を備え、該導水部材本体の上端部に上下動可能に嵌合したノズル体とを備えてなることを特徴とする排水トラップ。
【請求項３】
請求項２において、前記ノズル体は、受入口に沿う水平リング状の周板部と、該周板部と一体であり、導水部材本体の上端に嵌合する冠状部と、該冠状部に設けられた前記流出口とを備えていることを特徴とする排水トラップ。
【発明の詳細な説明】
【技術分野】
【０００１】
本発明は、浴槽及び洗い場用の排水トラップに係り、特に洗い場排水を受け入れる受入室と、浴槽排水が流入する浴槽排水流路とを有し、該受入室及び浴槽排水流路から水が共通の流出口を通って排水される排水トラップにおいて、該浴槽排水流路の水の一部を受入室内に導入して旋回させるための導水部材を備えた排水トラップに関する。
【背景技術】
【０００２】
洗い場排水を受け入れる受入室と、浴槽排水が流入する浴槽排水流路とを有し、該受入室及び浴槽排水流路から水が共通の流出口を通って排水される排水トラップにおいて、該浴槽排水流路の水の一部を受入室内に導入するための導水部材を備え、この導水部材からの噴出水によって受入室内に旋回流を形成するよう構成した排水トラップが特開２００９−１６７５９０号公報に記載されている。このトラップの洗い場排水受入口には、上方が開放したカゴ（篭）状のヘアキャッチャーが着脱自在に装着されている。このヘアキャッチャーは、トラップ内の軸心部付近に垂下している。
【０００３】
浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【先行技術文献】
【特許文献】
【０００４】
【特許文献１】特開２００９−１６７５９０号公報
【発明の概要】
【発明が解決しようとする課題】
【０００５】
導水部材の流出口からヘアキャッチャーまでの高さが防水パンのトラップ取付用開口の縁部の肉厚差などにより、予想値よりも大きくなることがある。
【０００６】
本発明は、このような場合にも導水部材の流出口をヘアキャッチャーに近接させることができるようにすることを目的とする。詳しくは、本発明は、洗い場排水を受け入れる受入室と、浴槽排水が流入する浴槽排水流路とを有し、該受入室及び浴槽排水流路から水が共通の流出口を通って排水される排水トラップであって、該浴槽排水流路の水の一部を受入室内に導入して旋回させるための導水部材を備えた排水トラップにおいて、該導水部材の流出口の高さが変更可能な排水トラップを提供することを目的とする。
【課題を解決するための手段】
【０００７】
請求項１の排水トラップは、洗い場排水が受入口から流入するトラップ室と、該受入口に配置され、中心ほど下位となる下向き凸形状のヘアキャッチャーと、該トラップ室が連なる合流流出口と、該トラップ室の下側を通って延在し、一端側が浴槽排水の流入口に連なり、他端側が該合流流出口に連なる浴槽排水流路と、該浴槽排水流路の水の一部を分取して該トラップ室内に流出口から旋回方向に流出させるための導水部材と、を備えてなる浴槽及び洗い場用の排水トラップにおいて、該導水部材の流出口の上下位置を変更可能としたことを特徴とするものである。
【０００８】
請求項２の排水トラップは、請求項１において、前記導水部材は、導水部材本体と、前記流出口を備え、該導水部材本体の上端部に上下動可能に嵌合したノズル体とを備えてなることを特徴とするものである。
【０００９】
請求項３の排水トラップは、請求項２において、前記ノズル体は、受入口に沿う水平リング状の周板部と、該周板部と一体であり、導水部材本体の上端に嵌合する冠状部と、該冠状部に設けられた前記流出口とを備えていることを特徴とするものである。
【発明の効果】
【００１０】
本発明の排水トラップにあっては、導水部材の流出口から水が旋回方向に流出し、トラップ室内に旋回流が形成される。そして、ヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【００１１】
本発明では、導水部材の流出口の高さを変更できるので、該流出口をヘアキャッチャーの直下に位置させ、ヘアキャッチャーを強力な旋回流中に浸漬させることができる。
【００１２】
請求項２の排水トラップでは、ノズル体とヘアキャッチャーとの間隔が大きい場合、導水部材本体内に導入された水の水圧によりノズル体が上昇し、ノズル体の流出口がヘアキャッチャーの直下に位置するようになる。そして、これにより、ヘアキャッチャーが強力な旋回流中に浸るようになる。
【００１３】
請求項３の排水トラップでは、導水部材本体に流入した水の水圧によってノズル体が上昇する場合、冠状部が導水部材本体の上端に嵌合しているため、ノズル体が導水部材本体から脱落することがなく、冠状部がヘアキャッチャーに当接するまでノズル体は導水部材本体の上端に案内されてスムーズに上昇し、強力な旋回流中にヘアキャッチャーが浸るようになる。
【図面の簡単な説明】
【００１４】
【図１】実施の形態に係る排水トラップを備えた浴室の概略的な斜視図である。
【図２】図１の排水トラップの斜視図である。
【図３】図２のIII−III線断面図である。
【図４】図２のIV−IV線断面図である。
【図５】排水トラップの別の設置状態を示す断面図である。
【図６】導水部材本体、封水筒及びノズル体の分解斜視図である。
【図７】導水部材本体、封水筒及びノズル体の組付斜視図である。
【発明を実施するための形態】
【００１５】
以下に、図面を参照して本発明の実施の形態について説明する。
【００１６】
第１図は実施の形態に係る排水トラップを備えた浴室の概略的な斜視図、第２図はこの排水トラップの斜視図、第３図は第２図のIII−III線断面図、第４図は第２図のIV−IV線断面図である。
【００１７】
浴室１の床は浴槽パン（図示略）と洗い場パン２とによって構成され、該浴槽パン上に浴槽３が設置されている。洗い場パン２の浴槽３側には排水枡４が設けられている。該排水枡４は洗い場パン２と一体に凹み状に形成されている。この排水枡４の上面には排水目皿５が装着されている。
【００１８】
これらの浴槽パン及び浴槽３の各排水口１ａ，３ａ並びに洗い場パン２の排水枡４に対し、下側から排水トラップ１０が連結されている。
【００１９】
第２図に示すように、排水トラップ１０の長手方向の略中央の上面には、洗い場パン２からの排水が排水枡４を通り流入する洗い場排水受入口１１が設けられ、他端側の上面には、浴槽３からの排水が排水口３ａを通り流入する浴槽排水流入口１２と、浴槽パンからの排水が排水口１ａを通り流入する浴槽パン排水流入口１３とが設けられている。
【００２０】
また、この排水トラップ１０の他端側には、これらの洗い場排水受入口１１、浴槽排水流入口１２及び浴槽パン排水流入口１３から該排水トラップ１０内に流入した水が流出する合流流出口１４が設けられている。この合流流出口１４に排水管６が接続されている。
【００２１】
この排水トラップ１０内には、洗い場排水受入口１１の下側にトラップ室（封水室）２０が設けられ、このトラップ室２０は合流流出口１４に連通している。このトラップ室２０の底板２２の下側には、浴槽排水流入口１２及び浴槽パン排水流入口１３と合流流出口１４とを連通する浴槽排水流路２３が設けられている。
【００２２】
洗い場排水受入口１１の内周面の内向き鍔部３１に係止されるようにして封水筒３２がトラップ室２０内に垂設されている。この封水筒３２は、上端にフランジ部３２ａ（第６図）が設けられており、このフランジ部３２ａが鍔部３１に係止されている。封水筒３２の下端と底板２２との間にはクリアランスが設けてあり、封水筒３２内の水がこのクリアランスを通って流出する。トラップ室２０から合流流出口１４に至る排水流路の底板３３は、合流流出口１４側ほど高位となるように傾斜している。トラップ室２０内には、この傾斜底板３３の上端３３ａレベルまで封水が溜まる。前記封水筒３２は、その下部がこの封水中に没する長さを有している。
【００２３】
封水筒３２のフランジ部３２ａからガイド用突起３２ｂが上方に突設されている。このガイド用突起３２ｂは、封水筒３２の直径方向に対峙して２個設けられているが、さらに多く設けられてもよい。このガイド用突起３２ｂは、長方形板状であり、板面を封水筒３２の半径方向としている。このガイド用突起３２ｂは、後述のノズル体５０の切欠部５２と係合してノズル体５０の上下動を案内する役割をもつが、封水筒３２を着脱するときに摘むための摘み部としても利用できる。
【００２４】
洗い場排水受入口１１にはトラップ取付フランジ３４が螺着されており、本体側の上面部３５と該フランジ３４との間で、排水升４の底部のトラップ取付用開口４ａ（第４，５図）の縁部をパッキンを介して挟持することにより排水トラップ１０が洗い場パン２に固着される。なお、第４図は、該開口４ａの周縁部の肉厚が比較的小さい場合であり、第５図は、該開口４ａの周縁部の肉厚が比較的大きい場合を示している。
【００２５】
このトラップ取付フランジ３４の内周面の凸部３６に係止させてヘアキャッチャー３７が該トラップ取付フランジ３４に内嵌状に着脱可能に装着されている。
【００２６】
このヘアキャッチャー３７の下方において、前記底板２２に開口３９が設けられ、この開口３９に導水部材本体４０が取り付けられている。
【００２７】
この導水部材本体４０は、大径筒状の基端環状部４１と、該基端環状部４１の上部から上方に分岐した複数個（この実施の形態では２個）の分岐管部４２とを有している。なお、第４，５図の通り、基端環状部４１の外周面にフランジ部４３と爪部４４が設けられており、該フランジ部４３と爪部４４が開口３９の縁部に対し上下から挟むように係合することにより、導水部材本体４０が底板２２に着脱可能に取り付けられている。この分岐管部４２は上方に向って開口した角筒状である。
【００２８】
該分岐管部４２の上端に対しノズル体５０が上方から上下動自在に嵌合している。ノズル体５０は平たいリング状の周板部５１と、該周板部５１の外周縁から切り込まれた形状の切欠部５２と、該周板部５１の直径方向に対峙する２箇所に設けられた冠状部５３と、該冠状部５３の一方の周方向指向面に設けられた流出口５４を有している。この流出口５４は、周板部５１の上面に向って水を流出させるように、周板部５１よりも上位側に設けられている。なお、冠状部５３の一部は周板部５１の内周よりも内方へ張り出しており、流出口５４の一部は周板部５１の内周縁よりも内方に存在している。
【００２９】
冠状部５３は、分岐管部４２の上端に上下動自在に嵌合し、切欠部５２が前記ガイド用突起３２ｂと係合している。各冠状部５３には流出口５４は１個ずつ設けられており、各分岐管部４２からの水は各流出口５４から同一旋回方向に流出する。上記の導水部材本体４０と、冠状部５０とによって導水部材が構成される。
【００３０】
次に、この排水トラップ１０の作動について説明する。
【００３１】
洗い場パン２からの排水は、排水枡４及び洗い場排水受入口１１を通ってトラップ室２０に流入し、封水筒３２の下側を通って合流流出口１４から排水管６に流出する。この洗い場排水の流出が停止すると、トラップ室２０内には、封水が残り、この封水に封水筒３２の下端が没するので、排水管６の臭気が洗い場排水受入口１１から浴室内に逆流することが防止される。
【００３２】
浴槽３及び浴槽パンからの排水は、各々の排水口３ａ，１ａ並びに浴室排水流入口１２、浴槽パン排水流入口１３から浴槽排水流路２３及び合流流出口１４を通って排水管６に流出する。この際、該浴槽排水流路２３を流れる水の一部は、該浴槽排水流路２３の途中で導水部材本体４０に流入し、分岐管部４２を通り、流出口５４からトラップ室２０内へ周回方向に流出するため、受入室２０内に旋回流が形成されるようになる。また、この水の流入によりトラップ室２０内の水位が上昇し、ヘアキャッチャー３７が旋回流に浸漬され、ヘアキャッチャー３７内の毛髪などのゴミがヘアキャッチャー３７の中心に集められる。これにより、ゴミを摘んで捨てることができるようになる。また、ヘアキャッチャー３７の内外面が旋回流に浸漬されて浄化され、ヌメリ等が除去される。
【００３３】
なお、第４図のようにヘアキャッチャー３７と浴槽排水開始前のノズル体５０の冠状部５３とが著しく近接しているときには、ノズル体５０は浴槽排水開始後でも全く又はほとんど上昇せず、流出口５４からの流出水はヘアキャッチャー３７の直下において流出口５４から流出し、ヘアキャッチャー３７付近に強力な旋回流が形成される。
【００３４】
一方、第５図のように、ヘアキャッチャー３７が浴槽排水開始前のノズル体５０から上方に離れているときには、浴槽排水開始後、導水部材本体４０内に流入する水の水圧によって、冠状部５３がヘアキャッチャー３７に当接するまで、ノズル体５０が上昇する。そのため、この場合でも流出口５４からの流出水はヘアキャッチャー３７の直下において流出口５４から流出し、ヘアキャッチャー３７は強力な旋回流中に浸ることになる。なお、ノズル体５０は、分岐管部４２の上端部及びガイド用突起３２ｂに案内されてスムーズに上下動する。
【００３５】
このようにして、ノズル体５０からヘアキャッチャー３７までの高さの大小にかかわらず、ヘアキャッチャー３７の全体が十分に洗浄され、またヘアキャッチャー３７の上面の全体から毛髪などのゴミが剥ぎ取られるようになる。
【００３６】
特に、この実施の形態では、ノズル体５０にリング状の周板部５１が設けられ、流出口５４から流出した水の多くが周板部５１上を旋回するので、旋回流が強力となる。
【００３７】
浴槽排水の流出が停止すると、浴槽排水流路２３内には合流流出口１４の下縁のレベルまで封水が残るため、排水管６の臭気が浴槽排水流入口１２及び浴槽パン排水流入口１３から浴槽や浴室内に逆流することが防止される。
【００３８】
この実施の形態で用いているノズル体５０は、その直径が封水筒３２の内径よりも大きいため、導水部材本体４０から外れても封水筒内に落下することがない。
【００３９】
上記実施の形態では、分岐管部４２の上端にノズル体５０を上下動可能に嵌合させ、流出口５４の高さを変更可能としているが、例えば導水部材の基端環状部４１が上下動可能に嵌合した２体で構成されるなど、他の態様とされてもよい。
【符号の説明】
【００４０】
２  洗い場パン
３  浴槽
４  排水枡
１０  排水トラップ
１１  洗い場排水受入口
１２  浴槽排水流入口
１３  浴槽パン排水口流入口
１４  合流流出口
２０  トラップ室
３２  封水筒
３７  ヘアキャッチャー
４０  導水部材本体
４２  分岐管部
５０  ノズル体
５１  周板部
５２  切欠状部
５３  冠状部
５４  流出口
【図１】
0005598070.tif 000002
【図２】
0005598070.tif 000003
【図３】
0005598070.tif 000004
【図４】
0005598070.tif 000005
【図５】
0005598070.tif 000006
【図６】
0005598070.tif 000007
【図７】
0005598070.tif 000008